(57)【特許請求の範囲】
【請求項１】
２枚の凸レンズと、
前記２枚の凸レンズどうしを連結するブリッジと、
前記凸レンズを保持する智と、
前記智に複数の蝶番によって回動可能に接続されたテンプルと、が設けられた遠視用眼鏡を、遠視者が鏡に向かって化粧する際に用いるとき、前記遠視用眼鏡を鏡面に着脱自在に支持する支持具が前記テンプルの自由端側に着脱自在に装着された化粧用眼鏡であって、
前記蝶番の位置で前記テンプルを回動し、前記テンプルを凸レンズの凹面側に折畳んだ格納状態の第１の状態と、
前記蝶番の位置で前記テンプルを回動し、前記テンプルを使用者の顔側に延出させた通常の遠視用眼鏡として使用可能な第２の状態と、
前記蝶番の位置で前記テンプルを回動し、前記テンプルを使用者の顔から離反する側に延出させ、前記テンプルの自由端側に前記支持具を装着して化粧用眼鏡として使用可能な第３の状態と、
に切り替えて使用可能であることを特徴とする化粧用眼鏡。
【請求項２】
前記支持具が、その一端側に前記鏡面に吸着する吸盤が設けられている支持具であることを特徴とする請求項１記載の化粧用眼鏡。
【発明の詳細な説明】
【技術分野】
【０００１】
本発明は化粧用眼鏡に関し、より詳細には、遠視用眼鏡および老眼用眼鏡を装着しているいわゆる遠視者が用いて好適な化粧用眼鏡に関する。
【背景技術】
【０００２】
近くのものを見ることが困難な遠視者は、視力を矯正するために遠視用眼鏡や老眼用眼鏡を装着している。
眼鏡を装着していると、化粧や髭剃りなどの顔の手入れを行う場合において、レンズやテンプルが邪魔になるため、顔の手入れをする際には眼鏡を外した状態で行わなければならない。近眼の者においては、顔を鏡面（以下、単に鏡ということがある）に近づけることによって鏡に映った自分の顔をしっかりと把握することができるが、遠視の者や老眼の者においては、顔を鏡に近づけても鏡に映った自分の顔をしっかりと把握することができない。
【０００３】
そこで、鏡に映った自分の顔をしっかりと把握することができるようにするための眼鏡の構造や補助具が例えば特許文献１および２において開示されている。
特許文献１には、図８に示すように、老眼用眼鏡のレンズ枠をレンズの下側からのみ保持する形態に形成すると共に、左右のレンズどうしを連結するブリッジの中央部分に回転軸を配設し、この回転軸に左右のレンズを連結し、左右のレンズのそれぞれを反対側のレンズ方向に回動可能にした化粧用眼鏡の構造が開示されている。特許文献１に開示されている構造によれば、例えばアイメイクを行う際においてレンズが邪魔になることがなく、鏡に映った自分の姿は他方の一方の目でしっかりと把握することができるとされている。
【０００４】
特許文献２には、図９に示すように、眼鏡を保持するためのアームが形成されたカチューシャの構造が開示されている。特許文献２によれば、眼鏡をアームに保持させた状態でカチューシャを装着することにより、レンズやフレームが顔の手入れを行う際において邪魔にならず、しかも、鏡に映った自分の姿をはっきりと把握することができるとされている。
【特許文献１】実開昭６２−１５８４１９号公報
【特許文献２】実用新案登録第３１２０６６９号公報
【発明の開示】
【発明が解決しようとする課題】
【０００５】
しかしながら、特許文献１記載の化粧用眼鏡においては、ブリッジに配設された回転軸を中心として一方のレンズが他方のレンズ側に回動し、一方の目の周りは開放されるのでアイメイクに関しては容易に行うことができるものの、図８に示されているように、パッド、レンズフレーム、テンプルは通常の眼鏡と何ら変わらない状態で顔面に装着されているため、これらの部分が邪魔になるという不都合があった。
また、特許文献２記載の眼鏡保持用のカチューシャは、図９に示されているように、一方のテンプルを折畳んだ状態で用いなければならず、視界の一部がテンプルにより妨げられてしまうといった課題がある。
【０００６】
そして、特許文献１および２において共通する課題として、鏡に映った自分の顔を両眼で見ることができないため立体視ができず、化粧等顔の手入れを行う際において、距離感がつかめなくなってしまい、化粧等の顔の手入れがうまくできないという重大な課題がある。
【０００７】
そこで本発明は、遠視者が化粧等で顔の手入れを行う際において、眼鏡のレンズやテンプルが邪魔にならず、しかも、化粧をしながら鏡に映った自分の顔を両眼で確認することが可能な化粧用眼鏡を提供することを目的としている。
【課題を解決するための手段】
【０００８】
すなわち本発明は、２枚の凸レンズと、前記２枚の凸レンズどうしを連結するブリッジと、前記凸レンズを保持する智と、前記智に複数の蝶番によって回動可能に接続されたテンプルと、が設けられた遠視用眼鏡を、遠視者が鏡に向かって化粧する際に用いるとき、前記遠視用眼鏡を鏡面に着脱自在に支持する支持具が前記テンプルの自由端側に着脱自在に装着された化粧用眼鏡であって、前記蝶番の位置で前記テンプルを回動し、前記テンプルを凸レンズの凹面側に折畳んだ格納状態の第１の状態と、前記蝶番の位置で前記テンプルを回動し、前記テンプルを使用者の顔側に延出させた通常の遠視用眼鏡として使用可能な第２の状態と、前記蝶番の位置で前記テンプルを回動し、前記テンプルを使用者の顔から離反する側に延出させ、前記テンプルの自由端側に前記支持具を装着して化粧用眼鏡として使用可能な第３の状態と、に切り替えて使用可能であることを特徴とする化粧用眼鏡である。
【０００９】
また、前記支持具が、その一端側に前記鏡面に吸着する吸盤が設けられている支持具であることを特徴とする。この構成を採用することにより、支持具を安価に提供することができる。
【発明の効果】
【００１１】
本発明の構成を採用することにより、化粧や髭剃りなどの顔の手入れ（以下、単に化粧ということがある）を行う際に、レンズ、レンズフレーム、テンプル等が邪魔にならず化粧を容易に行うことができる。しかも鏡面に映った自分の顔を両眼で見ることができるから立体視が可能になり、細かい部分の化粧（特にアイメイク）を正確に行うことができる。
【発明を実施するための最良の形態】
【００１２】
本願発明にかかる化粧用眼鏡について、実施形態に基づいて詳細に説明する。
【００１３】
（参考例）
図１は、参考例における化粧用眼鏡の組み立て平面図である。図２は、参考例における化粧用眼鏡の使用状態を示す平面図である。
化粧用眼鏡１０は、遠視用レンズ（ここでは老眼も遠視に含むものとしている）として用いられる２枚の凸レンズ１２，１２と、凸レンズ１２どうしを連結するブリッジ１４と、凸レンズ１２の外側部分に取り付けられたレンズの保持部である智１６と、智１６に隣接して配設され、テンプル１８を回動可能に接続する蝶番２０と、テンプル１８の自由端側（鏡面方向の先端部となる部分）に脱着可能に装着された支持具である吸盤３０とを有している。本参考例における化粧用眼鏡１０には、パッドおよびモダンは設けられていない。
【００１４】
参考例における蝶番２０は、テンプル１８の自由端を凸レンズ１２の凸面側よりも前方側と凸レンズ１２の凸面側の間で回動可能に形成されている。すなわちテンプル１８は凸レンズ１２の凸面側に折畳まれる。また、遠視者である使用者（以下、単に使用者ということがある）が凸レンズ１２を介して視界を得ようとした場合おいては、テンプル１８は使用者の顔から離反する方向に延伸した状態になる。
これに対して、通常の遠視用眼鏡や老眼用眼鏡においては、凸レンズ１２から顔側にテンプル１８が延出し、テンプル１８は、凸レンズ１２の凹面側に折畳まれる形態である。
【００１５】
参考例におけるテンプル１８には、自由端にモダンが配設されていないため、テンプル１８は略一直線状に形成されている。また、テンプル１８の自由端側は棒状となるように成形されていて、吸盤３０の上面（非吸着面）に脱着自在に差し込まれている。吸盤３０の上面（非吸着面）側には、テンプル１８の自由端を差し込み可能な装着穴３２が形成された装着部３４が設けられている。
図２に示すように、参考例における化粧用眼鏡１０は、吸盤３０の吸着面を鏡４０の表面（鏡面部分）に吸着させることによって保持されている。すなわち、化粧用眼鏡１０のテンプル１８は、凸レンズ１２の保持部である智１６から鏡４０に向かって延出した状態となる。このように化粧用眼鏡１０を鏡４０に保持させた状態とし、使用者が鏡４０に映った自分の顔を見ることができるように正対すれば、鏡４０に映った自分の顔を凸レンズ１２を介して両眼で確認しながら化粧を行うことができる。
【００１６】
すなわち使用者の視力に合わせてピントを合わせる凸レンズ１２を用いて鏡４０に映った自分の姿を両眼で確認することにより、立体視が可能になり遠近感が得られるため、化粧を正確に行うことができる。また、化粧用眼鏡１０のテンプル１８は凸レンズ１２よりも鏡４０側に延伸しているので、化粧を行う使用者の顔には何も邪魔する物がない状態となり、使用者は化粧を容易に行うことができる。
【００１７】
なお、参考例においては、支持具として吸盤を用いた形態を説明したが、吸盤３０に替えてダブルクリップ等に代表される挟持式の支持具を採用することもできる。この構成によれば、ミラースタンド等の持ち運び可能な鏡において、ミラースタンドの外枠表面部分（これも鏡面に含むものとする）に本発明品を取り付けする際において特に好都合である。また、吸盤３０に比較して、繰り返し使用による鏡面への支持力劣化が少なくなり、支持具を交換することなく長期にわたっての使用が可能になるといった利点もある。また、支持具は予めテンプル１８に固定された状態であっても良い。
【００１８】
（第１実施形態）
参考例における化粧用眼鏡１０は、その構成上化粧用眼鏡１０としてのみの使用に制約を受けてしまうといった点がある。
本実施形態においては、通常の遠視用眼鏡としての使用態様にも適合できる化粧用眼鏡１０の実施形態について説明する。図３は、本実施形態における化粧用眼鏡の組み立て平面図である。図４は、本実施形態における化粧用眼鏡の各使用状態を示す平面図である。図５は、本実施形態における化粧用眼鏡の使用状態を示す平面図である。
【００１９】
本実施形態における化粧用眼鏡１０は、図３（Ａ）に示すように、遠視用（老眼用）レンズとして用いられる２枚の凸レンズ１２，１２と、凸レンズ１２どうしを連結する保持部であるブリッジ１４と、ブリッジ１４に取り付けられたパッド１５と、凸レンズ１２の外側部分に取り付けられた保持部である智１６と、智１６に隣接して配設され、テンプル１８を回動可能に連結する複数の蝶番２０と、テンプル１８の自由端側に装着されたモダン２２と、テンプル１８に脱着可能に装着された支持具である吸盤３０とを有している。符号４０は鏡であることは先に説明した参考例と同様である。
本実施形態における化粧用眼鏡１０には、パッド１５とモダン２２とが配設されていて、通常の遠視者用の眼鏡としての使用が可能である点と、片側のテンプル１８に２つの蝶番２０，２０が配設されている点で先の参考例と異なっている。
【００２０】
本実施形態におけるテンプル１８とモダン２２には互いに螺着するネジ部１８Ａ，２２Ａが形成されていて、モダン２２がテンプル１８に対して着脱可能に装着されている。テンプル１８のネジ部１８Ａはテンプル１８に対して細径な棒状に形成されている。
また、図３（Ｂ）に示すように、支持具である吸盤３０には、吸着面の背面側にテンプル１８のネジ部１８Ａが差し込み可能な装着穴３２を有する装着部３４が設けられている。
【００２１】
本実施形態における化粧用眼鏡１０の蝶番２０は、図４（Ａ）に示すように、凸レンズ１２，１２の凹面側にテンプル１８を折畳んだ第１の状態（格納状態）と、図４（Ｂ）に示すように、凸レンズ１２，１２の凹面側（顔側）にテンプル１８を延伸させた第２の状態（通常の眼鏡としての使用状態）と、図４（Ｃ）に示すように、凸レンズ１２，１２の凸面側（使用者の顔面から離反する側）にテンプル１８を延出させた第３の状態（化粧用眼鏡１０としての状態）とをそれぞれ切り替え可能に設けられている。第１の状態、第２の状態、第３の状態のそれぞれに切り替えを行う際には、回動させるべき蝶番２０を適宜選択し、選択した蝶番２０を回転軸としてテンプル１８を所要の方向に回動させればよい。
【００２２】
図５に示すように、本実施形態にかかる化粧用眼鏡１０を化粧時に使用する場合には、使用者はテンプル１８を回動させて、化粧用眼鏡１０を第３の状態に切り替えた後、テンプル１８の自由端側に装着されているモダン２２を取り外し、テンプル１８の自由端を露出させ、吸盤３０の装着穴３２にテンプル１８の自由端を差し込むことにより装着した後に、吸盤３０を鏡４０に吸着保持させればよい。ここで、テンプル１８の回動と、モダン２２と吸盤３０とを交換する手順は入れ替えて行うことができるのはもちろんである。
鏡４０に吸着保持させた化粧用眼鏡１０はパッド１５が配設されている点を除き、参考例と同様にして使用することができる。
【００２３】
一方、本実施形態にかかる化粧用眼鏡１０を通常の眼鏡として用いる場合には、使用者はテンプル１８を回動させて化粧用眼鏡１０を第２の状態とし、テンプル１８にモダン２２を装着すればよい。そして、テンプル１８を回動させて化粧用眼鏡１０を第１の状態とすれば、コンパクトにすることができるため、一般的な収納ケースに収納して持ち運びすることができる。
このように、本実施形態にかかる化粧用眼鏡１０は、必要に応じて通常使用形態と化粧用使用形態の両方の形態を提供することができるため使い勝手の良い化粧用眼鏡１０とすることができるため好都合である。
【００２４】
本実施形態においては、テンプル１８およびモダン２２に形成されたネジ部１８Ａ，２２Ａを螺着させることにより装着する形態について説明しているが、モダン２２および吸盤３０（支持具）に装着穴を設け、テンプル１８の先端部分を装着穴に挿入する形態を採用することももちろん可能である。
【００２５】
以上の本実施形態に基づいて詳細に説明をしてきたが、本願発明は以上の実施形態に限定されるものではなく、発明の要旨を変更しない範囲において各種の改変を行ったとしても本願発明の技術的範囲に属することはいうまでもない。
例えば、以上に説明した実施形態においては、凸レンズ１２の凸面の頂点部分における接線方向対して直交する方向にテンプル１８を凸レンズ１２から離反させるようにして延出させているが、図６に示すように、テンプル１８を凸レンズ１２の凸面から離反させると共に、テンプル１８の自由端側（鏡４０方向の先端部）どうしの離間距離が広がる方向に延伸させても良い。この構成を採用することにより、使用者が化粧用眼鏡１０を用いて鏡４０に映った自分の姿を確認する際において、テンプル１８が視界に入ることがなくなるため好都合である。なお、吸盤３０は一般に高弾性の合成樹脂やゴムなどにより形成されているので、鏡４０とテンプル１８とが直交した位置関係になくても、吸盤３０が弾性変形することにより化粧用眼鏡１０を鏡４０に確実に保持することができる。
【００２６】
また、以上に説明した実施形態においては、棒状に形成されているテンプル１８の自由端を化粧用眼鏡１０の支持具である吸盤３０に設けられた装着部３４の装着穴３２に差し込むことにより装着する形態について説明しているが、この形態に限定されるものではない。例えば、第１実施形態における吸盤３０の装着部３４に、テンプル１８にフック式で係止させることができる係止部３６（図７（Ｂ）参照）を形成することによって、吸盤３０をテンプル１８に装着させる形態を採用することができる。この形態を採用することにより、テンプル１８の自由端は必ずしも細径の棒状に形成されていなくてもよく、モダン２２をテンプル１８に装着したままの状態であっても吸盤３０をテンプル１８に取り付けることもできるため好都合である。
【００２７】
さらには、レンズ１２の保持部である智１６に対してテンプル１８が鏡４０の方向と使用者の顔面の方向に往復動可能にするよう、図７に示すようにテンプル１８の側面部分に、テンプル１８の延出方向に形成されたスライド用長孔１８Ｚを形成することによっても、通常使用が可能な化粧用眼鏡１０とすることもできる（図７（Ａ）参照）。この構成を採用した場合、テンプル１８に形成したスライド用長孔１８Ｚの中途部にスライドさせたテンプル１８の位置を保持するためのストッパ１９を配設しておけば良好である。
また、鏡４０に化粧用眼鏡１０を支持させる吸盤３０はレンズ１２の保持部である智１６から鏡４０の方向に延出する側のテンプル１８の先端部分に配設される。吸盤３０は吸着面の背面側に設けられたフック式の係止具３６により、テンプル１８に掛け止めることにより装着することができる。また、必要に応じて、図７（Ｂ）に示すようにテンプル１８からモダン２２を取り外してもよいのはもちろんである。
【図面の簡単な説明】
【００２８】
【図１】参考例における化粧用眼鏡の組み立て平面図である。
【図２】参考例における化粧用眼鏡の使用状態を示す平面図である。
【図３】第１実施形態における化粧用眼鏡の組み立て平面図である。
【図４】第１実施形態における化粧用眼鏡の各使用状態を示す平面図である。
【図５】第１実施形態における化粧用眼鏡の使用状態を示す平面図である。
【図６】化粧用眼鏡の他の実施形態の一例における使用状態を示す平面図である。
【図７】化粧用眼鏡の他の実施形態の一例における使用状態を示す平面図である。
【図８】従来技術の一例を示す説明図である。
【図９】従来技術の一例を示す説明図である。
【符号の説明】
【００２９】
１０  化粧用眼鏡
１２  凸レンズ
１４  ブリッジ
１６  智
１８  テンプル
１８Ａ  ネジ部
１８Ｚ  スライド用長孔
１９  ストッパ
２０  蝶番
２２  モダン
２２Ａ  ネジ部
３０  吸盤
３２  装着穴
３４  装着部
４０  鏡
【要約】
【課題】遠視者が化粧等で顔の手入れを行う際において、眼鏡のレンズやテンプルが邪魔にならず、しかも、化粧をしながら鏡に移った自分の顔を両眼で確認することが可能な化粧用眼鏡を提供する。
【解決手段】遠視者が化粧時に用いる化粧用眼鏡１０であって、遠視者が鏡４０に映った自分の顔を両眼で見得るように、レンズ１２が鏡４０に対向した状態で配設されたとき、レンズ１２を保持する保持部１６に接続されたテンプル１８が鏡面方向に延出され、且つテンプル１８の鏡面方向の先端部には、化粧用眼鏡１０を鏡面に着脱自在に支持する支持具３０が装着されていることを特徴とする化粧用眼鏡１０とした。
【選択図】図２【図１】
0004153552.tif 000002
【図２】
0004153552.tif 000003
【図３】
0004153552.tif 000004
【図４】
0004153552.tif 000005
【図５】
0004153552.tif 000006
【図６】
0004153552.tif 000007
【図７】
0004153552.tif 000008
【図８】
0004153552.tif 000009
【図９】
0004153552.tif 000010